(57)【特許請求の範囲】
【請求項１】
一側端部に重合下片を、他側端部に重合上片をそれぞれ設けて屋根材を形成し、屋根下地上に敷設される複数の屋根材において、軒と平行な方向に隣り合う屋根材では、一方の屋根材の重合下片の上に他方の屋根材の重合上片を重ねて接続し、軒棟方向に隣り合う屋根材では、軒側の屋根材の後端部の上に棟側の屋根材の前端部を重ねて接続すると共に、棟側の屋根材の前端部を軒側の屋根材の後端部に係止クリップによって連結することによって、屋根材の前端部の固定をするようにした屋根材の施工構造であって、
係止クリップは、縦の連結片の上部に横方向に延設して上係止片が設けられると共に下部に上係止片と同じ横方向に延設して下係止片が設けられ、上係止片及び下係止片が軒側に延びて側面形状がコ字形に形成され、上係止片の連結片の側の端縁にはばね性を有する押さえ片が延設されており、
屋根材の後端部の下面に下方及び後方へ開口する係止用凹部を凹設し、軒棟方向に隣り合う屋根材において、棟側の屋根材の重合下片の前端部の側端に係止クリップの上係止片を係止すると共に、軒側の屋根材の係止用凹部の下側に形成される空間部に後端の開口から係止クリップの下係止片を挿入して係止することによって、棟側の屋根材の前端部を軒側の屋根材の後端部に係止クリップで連結するようにして成ることを特徴とする屋根材の施工構造。
【請求項２】
屋根材の後端部に、係止用凹部よりも下方へ突出する桟木係止片を設けると共に係止用凹部と桟木係止片の間の高さで下方へ突出する桟木設置脚を設け、屋根下地の上に設けられる桟木の上に桟木設置脚を載置した状態で桟木に桟木係止片を係止して各屋根材の後端部を桟木に取り付けるようにしたものであって、軒棟方向に隣り合う屋根材において、棟側の屋根材の重合下片の前端部に係止クリップの上係止片を係止すると共に、軒側の屋根材の係止用凹部の下側に、桟木設置脚が係止用凹部よりも下方へ突出する寸法分、桟木との間において形成される空間部に後端の開口から係止クリップの下係止片を挿入して係止することによって、棟側の屋根材の前端部を軒側の屋根材の後端部に係止クリップで連結するようにして成ることを特徴とする請求項１に記載の屋根材の施工構造。
【請求項３】
軒と平行な方向に隣り合う屋根材を重合下片と重合上片とを重ねて接続する際に、係止クリップを重合下片の側面の側へ押圧する押圧用突片を、重合上片の下面に設けて成ることを特徴とする請求項１又は２に記載の屋根材の施工構造。
【請求項４】
係止クリップの下係止片の先端部に上方へ突出する係合凸部を設け、屋根材の係止用凹部の軒側端部に形成される係合凹段部に係合凸部を係合して成ることを特徴とする請求項１乃至３のいずれか１項に記載の屋根材の施工構造。
【発明の詳細な説明】
【技術分野】
【０００１】
本発明は、係止クリップを用いて屋根材の軒側端部を固定するようにした屋根材の施工構造に関するものである。
【背景技術】
【０００２】
窯業系の屋根材３として、一方の側端に重合下片１を、他方の側端に重合上片２を設けて形成したものがある。この屋根材１を野地板などの屋根下地４の上に多数枚並べて敷設するにあたって、軒棟方向に隣り合う屋根材３では、軒側の屋根材３の後端部の上に棟側の屋根材３の前端部を重ねて接続されるが、軒と平行な方向に隣り合う屋根材３では、一方の屋根材３の重合下片１の上に他方の屋根材３の重合上片２を重ねて接続するようにしてある。そしてこの屋根材３の固定は、棟側端部に設けた固定用孔２０に釘等の固着具２１を通して打ち付けることによって行なわれている。このように屋根材３は棟側端部を固定して取り付けられているが、屋根材３の軒側端部が風で吹き上げられることを防ぐために、係止クリップ５を用い、棟側に位置する屋根材３の前端部を軒側に位置する屋根材３の後端部に係止クリップ５で連結することによって、屋根材３の軒側端部を固定することが行なわれている。
【０００３】
図１９は、係止クリップ５を用いて屋根材３の軒側端部を固定するようにした従来の構成を示すものである（特許文献１参照）。このものでは、図１９（ａ）に示すような係止片２２と、釘孔２３を設けた固定片２４とを備えた係止クリップ５を用いるようにしている。そして図１９（ｂ）に示すように軒側の屋根材３（３ａ）の後端部の上に棟側の屋根材３（３ｂ）の前端部を重ねて接続する際に、図１９（ｂ）（ｃ）に示すように、係止クリップ５の係止片２２を棟側の屋根材３ｂの重合下片１に係止すると共に固定片２４を軒側の屋根材３ａの棟側端部の上に載置し、係止クリップ５の固定片２４に設けた釘孔２３から軒側の屋根材３ａの固定用孔２０に釘などの固着具２１を差し込み、この固着具２１を屋根下地４に設けた桟木１１に打入するようにしてある。このように係止クリップ５を固着具２１の打入によって軒側の屋根材３ａの上に取り付けることによって、係止クリップ５で棟側の屋根材３ｂの前端部を軒側の屋根材３ａの後端部に連結して、屋根材３ｂの軒側端部を固定することができるものである。
【特許文献１】実用新案登録第３０６８０９３号公報
【発明の開示】
【発明が解決しようとする課題】
【０００４】
しかし上記のものでは、係止クリップ５の固定片２４に設けた釘孔２３から屋根材３ａの固定用孔２０に固着具２１を通して打ち込むことによって、係止クリップ５を屋根材３ａの上に取り付けるようにしているため、係止クリップ５の釘孔２３と屋根材３ａの固定用孔２０とを位置合せしながら、軒側の屋根材３ａの後端部に棟側の屋根材３ｂの前端部を重ねる作業を行なう必要がある。従って屋根という危険な高所において正確な位置決め作業が要求されるものであって、屋根材３の軒側端部を固定する施工が困難になるという問題があった。
【０００５】
本発明は上記の点に鑑みてなされたものであり、屋根材の軒側端部を固定する作業を容易に行なうことができる屋根材の施工構造を提供することを目的とするものである。
【課題を解決するための手段】
【０００６】
本発明に係る屋根材の施工構造は、一側端部に重合下片１を、他側端部に重合上片２をそれぞれ設けて屋根材３を形成し、屋根下地４上に敷設される複数の屋根材３において、軒と平行な方向に隣り合う屋根材３では、一方の屋根材３の重合下片１の上に他方の屋根材３の重合上片２を重ねて接続し、軒棟方向に隣り合う屋根材３では、軒側の屋根材３の後端部の上に棟側の屋根材３の前端部を重ねて接続すると共に、棟側の屋根材３の前端部を軒側の屋根材３の後端部に係止クリップ５によって連結することによって、屋根材３の前端部の固定をするようにした屋根材の施工構造であって、係止クリップ５は、縦の連結片１２の上部に横方向に延設して上係止片６が設けられると共に下部に上係止片６と同じ横方向に延設して下係止片７が設けられ、上係止片６及び下係止片７が軒側に延びて側面形状がコ字形に形成され、上係止片６の連結片１２の側の端縁にはばね性を有する押さえ片２９が延設されており、屋根材３の後端部の下面に下方及び後方へ開口する係止用凹部８を凹設し、軒棟方向に隣り合う屋根材３において、棟側の屋根材３の重合下片１の前端部の側端に係止クリップ５の上係止片６を係止すると共に、軒側の屋根材３の係止用凹部８の下側に形成される空間部８ａに後端の開口から係止クリップ５の下係止片７を挿入して係止することによって、棟側の屋根材３の前端部を軒側の屋根材３の後端部に係止クリップ５で連結するようにして成ることを特徴とするものである。
【０００７】
この発明によれば、屋根材３の後端部の下面に係止用凹部８を凹設することによって、屋根材３を屋根下地４に敷設する際に後方へ開口する空間部８ａを形成することができ、係止クリップ５の上係止片６を棟側の屋根材３の重合下片１の前端部に係止すると共に、係止クリップ５の下係止片７を空間部８ａに挿入して軒側の屋根材３の係止用凹部８に係止することによって、係止クリップ５で棟側の屋根材３の前端部を軒側の屋根材３の後端部に連結することができるものであり、軒側の屋根材３への係止クリップ５の取り付けは係止手段で行なうことができるものであって、釘打ちで行なう場合のように位置合せを正確に行なう必要がなく、屋根材３の軒側端部を固定する作業を容易に行なうことができるものである。
【０００８】
また本発明は、屋根材３の後端部に、係止用凹部８よりも下方へ突出する桟木係止片９を設けると共に係止用凹部８と桟木係止片９の間の高さで下方に突出する桟木設置脚１０を設け、屋根下地４の上に設けられる桟木１１の上に桟木設置脚１０を載置した状態で桟木１１に桟木係止片９を係止して各屋根材３の後端部を桟木１１に取り付けるようにしたものであって、軒棟方向に隣り合う屋根材３において、棟側の屋根材３の重合下片１の前端部に係止クリップ５の上係止片６を係止すると共に、軒側の屋根材３の係止用凹部８の下側に、桟木設置脚１０が係止用凹部８よりも下方へ突出する寸法分、桟木１１との間に形成される空間部８ｂに後端の開口から係止クリップ５の下係止片６を挿入して係止することによって、棟側の屋根材３の前端部を軒側の屋根材３の後端部に係止クリップ５で連結するようにして成ることを特徴とするものである。
【０００９】
屋根材３の棟側端部を桟木１１の上に係止して取り付ける場合、屋根材３の棟側端部の下面に設けた係止用凹部８が桟木１１で塞がれて、係止用クリップ５をこの係止用凹部８に挿入できないことがあるが、屋根材３の下面に桟木設置脚１０を設けることによって、係止用凹部８の下側に桟木１１との間に、係止クリップ５の下係止片６を挿入係止する空間部８ｂを形成することができ、桟木１１が支障となることなく、棟側の屋根材３の前端部を軒側の屋根材３の後端部に係止クリップ５で連結することができるものである。
【００１０】
また本発明は、軒と平行な方向に隣り合う屋根材３を重合下片１と重合上片２とを重ねて接続する際に、係止クリップ５を重合下片１の側面の側へ押圧する押圧用突片１３を、重合上片２の下面に設けて成ることを特徴とするものである。
【００１１】
この発明によれば、係止クリップ５が位置ずれして係止が外れることを、連結片１２を押圧する押圧用突片１３で防ぐことができ、係止クリップ５による連結強度を高く保持することができるものである。
【００１２】
また本発明は、係止クリップ５の下係止片７の先端部に上方へ突出する係合凸部１４を設け、屋根材３の係止用凹部８の軒側端部に形成される係合凹段部１５に係合凸部１４を係合して成ることを特徴とするものである。
【００１３】
この発明によれば、係止用凹部８の係合凹段部１５に係合凸部１４が係合することによって、係止クリップ５の下係止片７が係止用凹部８から抜け外れることを防ぐことができ、係止クリップ５による連結強度を高く保持することができるものである。
【発明の効果】
【００１４】
本発明によれば、屋根材３の後端部の下面に係止用凹部８を凹設することによって、屋根材３を屋根下地４に敷設する際に後方へ開口する空間部８ａを形成することができるものであり、係止クリップ５の上係止片６を棟側の屋根材３の重合下片１の前端部に係止すると共に、係止クリップ５の下係止片７を空間部８ａに挿入して軒側の屋根材３の係止用凹部８に係止することによって、係止クリップ５で棟側の屋根材３の前端部を軒側の屋根材３の後端部に連結することができ、軒側の屋根材３への係止クリップ５の取り付けは係止手段で行なうことができるものであって、釘打ちで行なう場合のように位置合せを正確に行なう必要がなく、屋根材３の軒側端部を固定する作業を容易に行なうことができるものである。
【発明を実施するための最良の形態】
【００１５】
以下、本発明を実施するための最良の形態を説明する。
【００１６】
屋根材３は、窯業系材料によって例えば図３のように横長の矩形に形成されるものであり、左右両側端部のうち、一方の側端部に軒棟方向のほぼ全長において重合下片１を設けると共に、他方の側端部に軒棟方向のほぼ全長において重合上片２が設けてある。重合下片１はその上面が屋根材３の上面よりも低くなるように形成してあり、重合下片１の上面に端部側の側端に沿って止水用突条２６が軒棟方向の全長に設けてある。また重合上片２は、重合下片１の上に重ねることができように下面が凹面となるように形成されるものである。
【００１７】
屋根材３の棟側端部（後端部）には、図３（ａ）のように、釘等の固着具２１を通す固定用孔２０が上下に貫通して形成してある。また図３（ｂ）に示すように、屋根材３の下面において、屋根材３の棟側端縁（後端縁）に、左右一対の桟木係止片９が下方へ突出して設けてあると共に、屋根材３の幅方向の中央部の位置において桟木係止片９の間に係止用凹部８が形成されるようにしてある。係止用凹部８は屋根材３の後端縁に下方へやや突出するリブ片２７の下面に形成されるものであるが、このリブ片２７は桟木係止片９よりも下方への突出寸法が小さいのでこのリブ片２７の下面が桟木係止片９の間において係止用凹部８として形成されるものであり、係止用凹部８を形成するこのリブ片２７の軒側の端縁が係合凹段部１５となるものである。このリブ片２７には係止用凹部８よりもさらに上方へ凹んだ差込み用凹部２８が、後方及び下方へ開口するように凹設してある。また屋根材３の後端部の下面には桟木設置脚１０が図３（ｂ）のように突設してある。この桟木設置脚１０はその下端が、係止用凹部８を形成するリブ片２７の下端と、桟木係止片９の下端との間の高さになるように形成されるものであり、すなわち桟木設置脚１０は係止用凹部８と桟木係止片９の間の高さで下方へ突出するように形成されるものである。図３（ｂ）の例では、桟木設置脚１０は一対の桟木係止片９の軒側位置及び桟木係止片９の間の位置において複数個所（３箇所）に設けるようにしてある。
【００１８】
図４は係止クリップ５の一例を示すものであり、金属板を屈曲加工することによって、縦の連結片１２の上端に上係止片６を延設すると共に、連結片１２の下端に下係止片７を延設して「コ」字形に形成してある。上係止片６は断面形状が横向き「く」字形になるように連結片１２と反対側に屈曲して形成してあり、上係止片６の連結片１２の側の端縁にはばね性を有する押さえ片２９が延設してある。また下係止片７は断面形状が「Ｌ」字形になるように連結片１２と反対側に屈曲して形成してあり、下係止片７の先端に係合凸部１４が上方へ突出して設けてある。
【００１９】
次に、上記の屋根材３を用いた屋根葺きの施工について説明する。図５は野地板などで形成される屋根下地４の上に、後述の桟木１１を用いない工法で屋根材３を葺くようにした実施の形態を示すものであり、屋根下地４の上に多数枚の屋根材３を縦横に葺き並べることによって屋根葺きを行なうようにしてある。このとき、軒と平行な方向での屋根材３の接続は、隣り合う屋根材３において、一方の屋根材３の重合下片１の上に他方の屋根材３の重合上片２を重ねることによって行なわれる。また軒棟方向での屋根材３の接続は、軒側の屋根材３の後端部の上に棟側の屋根材３の前端部を重ねることよって行なうようにしてあり、図５の実施の形態では、軒側の隣り合う屋根材３の上に跨って、棟側の屋根材３を重ねる千鳥張りで屋根葺きをするようにしてある。そして屋根材３の一方の側端に設けた重合下片１は雨水を排出する樋の役目をするものであり、軒と平行に隣り合う屋根材３の間から雨水が浸入しても、この雨水は重合下片１の上面で受けられ、重合下片１の端縁の止水用突条２６によって側方へ流れ落ちることを防止しつつ重合下片１の上面を流下して、重合下片１の前端から軒側に位置する屋根材３の上に雨水が排出されるようにしてある。
【００２０】
ここで、桟木１１を用いない工法で屋根材３を取り付ける場合、屋根材３の後端部は桟木係止片９が屋根下地４の上面に接地して載置されるものであり、屋根下地４への屋根材３の取り付けは、その後端部の固定用孔２０に釘などの固着具２１を通して屋根下地４に打ち付けることによって、屋根材３の後端部を固定するようにして行なわれる。そしてさらに、屋根材３の軒側端部が風で吹き上げられることを防ぐために、棟側に位置する屋根材３の前端部を軒側に位置する屋根材３の後端部に係止クリップ５で連結することによって、図１及び図２に示すように、屋根材３の軒側端部を係止クリップ５で固定するものである。
【００２１】
すなわち、軒側に位置する屋根材３（３ａ）を取り付けた後、棟側に位置する屋根材３（３ｂ）の軒側端部を、軒側の屋根材３ａの棟側端部の上に重ねて取り付ける際に、まず係止クリップ５の上係止片６を棟側の屋根材３ｂの重合下片１の軒側端部に係止する。係止クリップ５は重合下片１の側面に配置されるものであり、重合下片１の止水用突条２６の上に上係止片６を引掛けるように係止するものである。次にこの状態で下係止片７を軒側の屋根材３ａの差込み用凹部２８に差し込みながら係止クリップ５を棟側の屋根材３ｂの重合下片１に沿って軒側へスライドさせ、この後に連結片１２を棟側の屋根材３ｂの重合下片１の側面へ近づけるように係止クリップ５を若干回動させると、係止クリップ５の下係止片７が差込み用凹部２８から係止用凹部８の下面へと移動して、下係止片７が軒側の屋根材３ａの係止用凹部８に係止されるものである。このとき、係止クリップ５に設けた押さえ片２９が軒側の屋根材３の後端部の上面に弾接し、押さえ片２９の弾接によって下係止片７を引き上げる力が作用するので、係止用凹部８に下係止片７を緩みなく係止させることができるものである。
【００２２】
このように、係止クリップ５の上係止片６を棟側の屋根材３ｂの重合下片１に係止させた状態で、係止用凹部８に下係止片７を係止させて係止クリップ５を軒側の屋根材３ａの後端部に取り付けることによって、係止クリップ５によって棟側の屋根材３ｂの前端部を軒側の屋根材３ａの後端部に連結することができるものであり、屋根材３の前端部を係止クリップ５で固定して、屋根材３の軒側端部が風によって吹き上がることを防ぐことができるものである。そして、軒側の屋根材３ａへの係止クリップ５の取り付けは、係止用凹部８に下係止片７を挿入係止する係止手段で行なうことができるものであり、従来例のように釘打ちで行なう場合のような正確な位置合せは不要になり、屋根材３の軒側端部を固定する作業を容易に行なうことができるものである。
【００２３】
ここで、上記のように桟木１１を用いない工法で屋根材３を取り付ける場合、屋根材３ａの後端部は屋根下地４の上面に密接して、係止クリップ５の下係止片６を屋根材３ａの下側に挿入係止する空間部は形成されないのが一般的であるが、本発明では、屋根材３ａの後端部の下面に係止用凹部８を設けることによって、図２（ｂ）に示すように、係止用凹部８と屋根下地４との間に空間部８ａを形成するようにしたものであり、この空間部８ａに後端の開口から係止クリップ５の下係止片７を挿入して、係止用凹部８に係止することができるようにしたものである。
【００２４】
またこの図２（ｂ）に示すように、屋根材３ａの係止用凹部８に下係止片７を挿入係止する際に、下係止片７の先端に設けた係合凸部１４が、係止用凹部８の軒側端部に形成される係合凹段部１５に係合されるようにしてある。従って、下係止片７が係止用凹部８から抜け外れることを、係合凸部１４の係合によって防ぐことができるものであり、係止クリップ５による屋根材３ａ，３ｂの連結強度を高く保持することができるものである。
【００２５】
また、図６（ａ）に示すように、屋根材３の下面において、重合上片２の基部には押圧用突片１３が突設してある。そして上記の図１のように棟側の屋根材３の軒側端部を軒側の屋根材３に係止クリップ５で連結した後、この連結した棟側の屋根材３に軒と平行な方向で隣り合う屋根材３を接続するために、重合下片１の上に重合上片２を図６（ｂ）のように重ねると、係止クリップ５の連結片１２の上端部、あるいは上係止片６の基端部が重合上片２の押圧用突片１３によって重合下片１の側面の側へ押圧される状態で、重合上片２の押圧用突片１３と重合下片１の側面との間に挟持される。従って、係止クリップ５が回動するなどして位置ずれすることを押圧用突片１３によって防ぐことができ、重合下片１に対する上係止片６の係止や、係合用凹部８に対する下係止片７の係止が外れることを防いで、係止クリップ５による屋根材３の連結強度を高く保持することができるものである。
【００２６】
尚、上記のように桟木１１を用いない工法で屋根材３を屋根下地４の上に直接取り付ける場合、屋根材３の棟側端部に設けた固定用孔２０から釘などの固着具２１を屋根下地４に打入して、屋根材３の棟側端部の固定を行なうことになる。しかし、屋根材３の固定用孔２０の箇所が、屋根下地４を支持する金属製垂木など金属製屋根構造材３１の真上に位置するときには、金属製屋根構造材３１が邪魔になって固着具２１を屋根下地４に打ち付けることができない。そこでこの場合には、図７に示す係止用固定具３２を用いて金属製屋根構造材３１の位置からずらした箇所で固着具２１の打入を行なうことができるようにしてある。係止用固定具３２は固定用孔３３を設けた固定片３４の一端に係止片３５を立ち上げて形成されるものであり、係止片３５は屋根材３の棟側端部の上面に突設した止水用突リブ３６に合致した形状に屈曲形成してある。
【００２７】
そして図８に示すように、金属製屋根構造材３１から外れた位置において、屋根材３の棟側に係止用固定具３２を配置し、係止片３５を止水用突リブ３６の上に引掛け係止すると共に固定片３４を屋根下地４の上に載置して、固定片３４の固定用孔３３から釘などの固着具２１を屋根下地４に打入することによって、固定片３４を屋根下地４に固定することができるものである。このように、屋根材３の棟側端部を係止片３５で係止した係止用固定具３２を金属製屋根構造材３１から外れた位置において固着具２１で屋根下地４に固定することによって、係止用固定具３２を介して屋根材３の棟側端部を屋根下地４に固定することができるものである。
【００２８】
次に、図９のように、屋根下地４の上に軒と平行に設けた桟木１１を用いて屋根材３を屋根下地４に取り付ける工法について説明する。屋根材３はその棟側後端に下方へ突出して設けた桟木係止片９を、図１０のように、この桟木１１の棟側に係止させるようにしてあり、屋根材３の棟側端部に設けた固定用孔２０に釘などの固着具２１を通して桟木１１に打入することによって、屋根材３の棟側端部を固定するようにしてある。このように、桟木係止片９を係止させた状態で桟木１１の上に屋根材３の軒側端部を載置する場合、屋根材３の下面と桟木１１の上面との間に係止クリップ５の下係止片６を挿入係止する空間部は形成されないのが一般的であり、係止クリップ５を用いて屋根材３の軒側端部を固定するようにすることは難しい。
【００２９】
そこで本発明では、屋根材３の桟木係止片９を桟木１１に係止させると共に、屋根材３の棟側端部の下面に突設した桟木設置脚１０を桟木１１の上に載置するようにしてある。ここで、桟木設置脚１０は上記のように、係止用凹部８と桟木係止片９の間の高さで下方へ突出するように形成してあるので、図１１に示すように、係止用凹部８の下面と桟木設置脚１０の下端面との間の高さの差で、係止用凹部８と桟木１１の上面との間に後方へ開口される空間部８ｂが形成されることになる。従って、図１、図２の場合と同様に、係止クリップ５の上係止片６を棟側の屋根材３ｂの重合下片１の前端部に係止した状態で、下係止片７をこの空間部８ｂに後端の開口から挿入して、下係止片７を係止用凹部８に係止することができるものであり、係止クリップ５によって棟側の屋根材３ｂの前端部を軒側の屋根材３ａの後端部に連結することができるものである。
【００３０】
次に本発明の他の実施の形態について説明する。この実施の形態で使用する屋根材３を図１４に示す。図３に示す既述の屋根材３と同様に、一方の側端部に重合下片１を設けると共に、他方の側端部に重合上片２が設けてあり、屋根材３の棟側端部には固定用孔２０が形成してある。また屋根材３の下面の図示は省略するが、屋根材３の下面には図３のものと同様に、係止用凹部８、桟木係止片９、桟木設置脚１０などが設けてある。要するに、図１４の屋根材３は外観形状を除いて、図３に示す屋根材３と同じ構成に形成してある。そしてこの屋根材３は、図１５に示すように、軒棟方向で屋根材３を同じ位置に揃えて一直線状に接続するようにした他は、既述の図５と同様にして屋根葺きの施工が行なわれるものである。
【００３１】
またこの実施の形態で使用する係止クリップ５を図１６に示す。図４に示す既述の係止クリップ５と同様に、連結片１２の上端に上係止片６を延設すると共に、連結片１２の下端に下係止片７を延設して「コ」字形に形成してあり、その他の構成も、図４の係止クリップ５と同様に形成してある。
【００３２】
そして棟側の屋根材３の前端部を軒側の屋根材３の後端部に係止クリップ５で連結するにあたっては、既述の図１や図２の場合と同様にして行なうことができる。すなわち、図１２及び図１３に示すように、係止クリップ５の上係止片６を棟側の屋根材３の重合下片１の軒側端部に係止し、下係止片７を軒側の屋根材３の係止用凹部８に係止することによって、行なうことができるものである。図１２及び図１３は、既述の図１や図２のように桟木１１を用いない工法で屋根葺きをするようにした例を示すものであるが、桟木１１を用いた工法で屋根葺きをする場合も、既述の図１０及び図１１と同様にして、棟側の屋根材３の前端部を軒側の屋根材３の後端部に係止クリップ５で連結することができるものである。
【００３３】
また、桟木１１を用いない工法で屋根葺きをするにあたって、屋根材３の固定用孔２０の箇所が屋根下地４の下側の金属製屋根構造材３１の直上に位置し、固定用孔２０から釘などの固着具２１を打入することができない場合は、図１７に示す係止用固定具３２を用いて、屋根材３の棟側端部の固定を行なう。この係止用固定具３２は、既述の図７に示す係止用固定具３２と同様に、固定用孔３３を設けた固定片３４の一端に係止片３５を設けて形成されるものである。そして図１８に示すように、既述の図８の場合と同様に、係止片３５を屋根材３の棟側端部の止水用突リブ３６の上に引掛け係止すると共に固定片３４の固定用孔３３から釘などの固着具２１を屋根下地４に打入することによって、係止用固定具３２を介して屋根材３の棟側端部を屋根下地４に固定することができるものである。
【図面の簡単な説明】
【００３４】
【図１】本発明の実施の形態の一例を示す一部の斜視図である。
【図２】同上の一部を示すものであり、（ａ）は斜視図、（ｂ）は断面図である。
【図３】同上の実施の形態に用いる屋根材を示すものであり、（ａ）上面側の平面図、（ｂ）は下面側の斜視図である。
【図４】同上の実施の形態に用いる係止クリップを示すものであり、（ａ）（ｂ）はそれぞれ斜視図である。
【図５】同上の実施の形態における屋根葺きを示す分解斜視図である。
【図６】同上の実施の形態を示すものであり、（ａ）は屋根材の下面の一部を示す斜視図、（ｂ）は屋根材の接続部の断面図である。
【図７】同上の実施の形態に用いる係止用固定具を示すものであり、（ａ）は斜視図、（ｂ）は正面図である。
【図８】同上の係止用固定具を用いた施工状態を示すものであり、（ａ）は斜視図、（ｂ）は断面図である。
【図９】同上の実施の形態における屋根葺きを示す側面図である。
【図１０】本発明の実施の形態を示す一部の斜視図である。
【図１１】同上の一部の拡大断面図である。
【図１２】本発明の実施の形態の他の一例を示す一部の斜視図である。
【図１３】図１２の一部を拡大した斜視図である。
【図１４】同上の実施の形態に用いる屋根材の斜視図である。
【図１５】同上の実施の形態における屋根葺きを示す分解斜視図である。
【図１６】同上の実施の形態に用いる係止クリップを示すものであり、（ａ）（ｂ）はそれぞれ斜視図である。
【図１７】同上の実施の形態に用いる係止用固定具を示すものであり、（ａ）は斜視図、（ｂ）は正面図である。
【図１８】同上の係止用固定具を用いた施工状態を示す斜視図である。
【図１９】従来例を示すものであり、（ａ）は係止クリップの斜視図、（ｂ）は施工状態の平面図、（ｃ）（ｄ）は施工状態の断面図である。
【符号の説明】
【００３５】
１  重合下片
２  重合上片
３  屋根材
４  屋根下地
５  係止クリップ
６  上係止片
７  下係止片
８  係止用凹部
９  桟木係止片
１０  桟木設置脚
１１  桟木
１２  連結片
１３  押圧突片
１４  係合凸部
１５  係合凹段部
【図１】
0005221986.tif 000002
【図２】
0005221986.tif 000003
【図３】
0005221986.tif 000004
【図４】
0005221986.tif 000005
【図５】
0005221986.tif 000006
【図６】
0005221986.tif 000007
【図７】
0005221986.tif 000008
【図８】
0005221986.tif 000009
【図９】
0005221986.tif 000010
【図１０】
0005221986.tif 000011
【図１１】
0005221986.tif 000012
【図１２】
0005221986.tif 000013
【図１３】
0005221986.tif 000014
【図１４】
0005221986.tif 000015
【図１５】
0005221986.tif 000016
【図１６】
0005221986.tif 000017
【図１７】
0005221986.tif 000018
【図１８】
0005221986.tif 000019
【図１９】
0005221986.tif 000020